Podtech/llm-jp-corpus-v4-ja_patent huggingface dataset:
(57)【要約】【課題】プリント基板を省いて低コスト化し、そこに内在する課題も解決しようとするものである。【解決手段】樹脂製の下ケース１と、この下ケース１に載置され端部に携帯電話機（図示せず）への充電接点２をもつ導電板３及びこの導電板３に接続されて外部電源（図示せず）の出力を中継するコネクタ４と、前記導電板３及びコネクタ４を覆う樹脂製の上ケース５とを備える。前記導電板３の基部に上方に開口したスリット６を形成した立ち上がり片７を形成し、前記コネクタ４の背面側に横方向に突出した接続端子８を前記スリット６に挿入接続し、前記導電板３及びコネクタ４の上面を前記上ケース５で押えた状態で前記上ケース５と下ケース１を例えばビス９で結合する。【選択図】  図１
2004229366.tif 000002
【特許請求の範囲】
【請求項１】
下ケースと、この下ケースに載置され端部に携帯電話機への充電接点をもつ導電板及びこの導電板に接続されて外部電源の出力を中継するコネクタと、前記導電板及びコネクタを覆う上ケースとを備え、前記導電板の基部に上方に開口したスリットを形成した立ち上がり片を形成し、前記コネクタの背面側に横方向に突出した接続端子を前記スリットに挿入接続し、前記導電板及びコネクタの上面を前記上ケースで押えた状態で前記上ケースと下ケースを結合した電話置き台。
【発明の詳細な説明】
【０００１】
【発明の属する技術分野】
本発明は、携帯電話機を充電する際に使用する電話置き台に関する。
【０００２】
【従来の技術】
一般にこの種の電話置き台の構造は、上下一対のケースの間に、端部に充電接点をもつ導電板と、この導電板の基部を半田接続したプリント基板と、さらにこのプリント基板に半田接続されて外部電源の出力を中継するコネクタとを備えていた。
【０００３】
【発明が解決しようとする課題】
しかしながら、この種の電話置き台は大幅な製造コストの低減を要求されている。そこで、本発明ではプリント基板を省いて低コスト化し、そこに内在する課題も解決しようとするものである。
【０００４】
【課題を解決するための手段】
本発明を要約すると、下ケースと、この下ケースに載置され端部に携帯電話機への充電接点をもつ導電板及びこの導電板に接続されて外部電源の出力を中継するコネクタと、前記導電板及びコネクタを覆う上ケースとを備え、前記導電板の基部に上方に開口したスリットを形成した立ち上がり片を形成し、前記コネクタの背面側に横方向に突出した接続端子を前記スリットに挿入接続し、前記導電板及びコネクタの上面を前記上ケースで押えた状態で前記上ケースと下ケースを結合した電話置き台である。
【０００５】
【発明の実施の形態】
次に、本発明の実施形態を説明するが、それはあくまで本発明に基づいて採択された例示的な実施形態であり、本発明をその実施形態に特有な事項に基づいて限定解釈してはならず、本発明の技術的範囲は、請求項に示した事項さらにはその事項と実質的に等価である事項に基づいて定めなければならない。
【０００６】
図示の実施形態は、樹脂製の下ケース１と、この下ケース１に載置され端部に携帯電話機（図示せず）への充電接点２をもつ導電板３及びこの導電板３に接続されて外部電源（図示せず）の出力を中継するコネクタ４と、前記導電板３及びコネクタ４を覆う樹脂製の上ケース５とを備え、前記導電板３の基部に上方に開口したスリット６を形成した立ち上がり片７を形成し、前記コネクタ４の背面側に横方向に突出した接続端子８を前記スリット６に挿入接続（いわゆる圧接接続）し、前記導電板３及びコネクタ４の上面を前記上ケース５で押えた状態で前記上ケース５と下ケース１を例えばビス９で結合した電話置き台である。
【０００７】
さらに詳述すれば、下ケース１の上面には導電板３を載置して位置決めする多数の支持台１０…が突出形成される。樹脂製の外殻をもつコネクタ４は下ケース１の上面に突出形成した多数の側壁１１…に囲まれて位置決めされる。上ケース５の下面には、導電板３の上面を押える押え部１２と、コネクタ４の上面を押える押え部１３とが一体に突出形成されている。ビス９は下ケース１の孔１４を貫通して上ケース５の下面に一体に突出形成したボス１５に螺合されている。かくして、図３及び図４に示す組立状態では、導電板３及びコネクタ４が押え部１２及び１３でそれぞれ押えられるため、それらの浮き上がりが防止され、殊にコネクタ４の押えにより接続端子８のスリット６への挿入接続が上方向に抜け出ることなく良好に保たれる。
【０００８】
図外の携帯電話機の充電は上ケース５の凹部１６に挿入載置して行える。まず、上ケース５と下ケース１の境界付近に位置する窓部１７からコネクタ４に対して図示されない外部電源のコネクタを接続する。そして、携帯電話機の下部を凹部１６に挿入すると、携帯電話機の充電端子（図示せず）は凹部１６の底面開口１８から露出した充電接点２に接触状態になり、充電可能となる。
【０００９】
本実施形態によれば、従来用いられていたプリント基板が省けて低コスト化が達成でき、さらに、導電板３とコネクタ４とは半田付け接続なしで接続可能となるとともに、その接続状態もコネクタ４が上ケース５で押えられているため、安定化されているという利点がある。
【図面の簡単な説明】
【図１】本発明の実施形態を示す分解斜視図
【図２】同要部組立過程の斜視図
【図３】同中心を通る組立縦断面図
【図４】同導電板に沿った組立縦断面図
【符号の説明】
１  下ケース
２  充電接点
３  導電板
４  コネクタ
５  上ケース
６  スリット
７  立ち上がり片
８  接続端子
【図１】
2004229366.tif 000003
【図２】
2004229366.tif 000004
【図３】
2004229366.tif 000005
【図４】
2004229366.tif 000006
(57)【要約】【課題】プリント基板を省いて低コスト化し、そこに内在する課題も解決しようとするものである。【解決手段】樹脂製の下ケース１と、この下ケース１に載置され端部に携帯電話機（図示せず）への充電接点２をもつ導電板３及びこの導電板３に接続されて外部電源（図示せず）の出力を中継するコネクタ４と、前記導電板３及びコネクタ４を覆う樹脂製の上ケース５とを備える。前記導電板３の基部に横方向から差し込み接続できる鎖錠端子部６を形成し、前記コネクタ４の背面側に横方向に突出した接続端子８を前記鎖錠端子部６に挿入接続し、前記導電板３及びコネクタ４の上面を前記上ケース５で押えた状態で前記上ケース５と下ケース１を例えばビス９で結合するとともに、前記コネクタ４の外側面を前記上ケース５または下ケース１もしくはそれら双方で押える。【選択図】  図１
2004229375.tif 000002
【特許請求の範囲】
【請求項１】
下ケースと、この下ケースに載置され端部に携帯電話機への充電接点をもつ導電板及びこの導電板に接続されて外部電源の出力を中継するコネクタと、前記導電板及びコネクタを覆う上ケースとを備え、前記導電板の基部に横方向から差し込み接続できる鎖錠端子部を形成し、前記コネクタの背面側に横方向に突出した接続端子を前記鎖錠端子部に挿入接続し、前記導電板及びコネクタの上面を前記上ケースで押えた状態で前記上ケースと下ケースを結合するとともに、前記コネクタの外側面を前記上ケースまたは下ケースもしくはそれら双方で押えた電話置き台。
【発明の詳細な説明】
【０００１】
【発明の属する技術分野】
本発明は、携帯電話機を充電する際に使用する電話置き台に関する。
【０００２】
【従来の技術】
一般にこの種の電話置き台の構造は、上下一対のケースの間に、端部に充電接点をもつ導電板と、この導電板の基部を半田接続したプリント基板と、さらにこのプリント基板に半田接続されて外部電源の出力を中継するコネクタとを備えていた。
【０００３】
【発明が解決しようとする課題】
しかしながら、この種の電話置き台は大幅な製造コストの低減を要求されている。そこで、本発明ではプリント基板を省いて低コスト化し、そこに内在する課題も解決しようとするものである。
【０００４】
【課題を解決するための手段】
本発明を要約すると、下ケースと、この下ケースに載置され端部に携帯電話機への充電接点をもつ導電板及びこの導電板に接続されて外部電源の出力を中継するコネクタと、前記導電板及びコネクタを覆う上ケースとを備え、前記導電板の基部に横方向から差し込み接続できる鎖錠端子部を形成し、前記コネクタの背面側に横方向に突出した接続端子を前記鎖錠端子部に挿入接続し、前記導電板及びコネクタの上面を前記上ケースで押えた状態で前記上ケースと下ケースを結合するとともに、前記コネクタの外側面を前記上ケースまたは下ケースもしくはそれら双方で押えた電話置き台である。
【０００５】
【発明の実施の形態】
次に、本発明の実施形態を説明するが、それはあくまで本発明に基づいて採択された例示的な実施形態であり、本発明をその実施形態に特有な事項に基づいて限定解釈してはならず、本発明の技術的範囲は、請求項に示した事項さらにはその事項と実質的に等価である事項に基づいて定めなければならない。
【０００６】
図示の実施形態は、樹脂製の下ケース１と、この下ケース１に載置され端部に携帯電話機（図示せず）への充電接点２をもつ導電板３及びこの導電板３に接続されて外部電源（図示せず）の出力を中継するコネクタ４と、前記導電板３及びコネクタ４を覆う樹脂製の上ケース５とを備え、前記導電板３の基部に横方向から差し込み接続できる鎖錠端子部６を形成し、前記コネクタ４の背面側に横方向に突出した接続端子８を前記鎖錠端子部６に挿入接続し、前記導電板３及びコネクタ４の上面を前記上ケース５で押えた状態で前記上ケース５と下ケース１を例えばビス９で結合するとともに、前記コネクタ４の外側面を前記上ケース５または下ケース１もしくはそれら双方で押えた電話置き台である。その押え手段は下ケース１では外縁に位置する押え部７で示され、上ケース５では後述の押え部１３が兼用されている。また、前記鎖錠端子部６は導電板３の基部を立ち上げてから折り返して形成され、その折り返し部先端と導電板３の間に導電板３の孔３ａに通した接続端子８を鎖錠接続している。
【０００７】
さらに詳述すれば、下ケース１の上面には導電板３を載置して位置決めする多数の支持台１０…が突出形成される。樹脂製の外殻をもつコネクタ４は下ケース１の上面に突出形成した多数の側壁１１…に囲まれて位置決めされる。上ケース５の下面には、導電板３の上面を押える押え部１２と、コネクタ４の上面を押える押え部１３とが一体に突出形成されている。ビス９は下ケース１の孔１４を貫通して上ケース５の下面に一体に突出形成したボス１５に螺合されている。かくして、図３及び図４に示す組立状態では、導電板３及びコネクタ４が押え部１２及び１３でそれぞれ押えられるため、それらの浮き上がりが防止され、さらに、コネクタ４の外側面上縁を上ケース５の押え部１３で押えるとともに、コネクタ４の外側面下縁を下ケース１の押え部７で押えたため、コネクタ４の外方変位が阻止されて接続端子８が鎖錠端子部６から抜け出ることなく良好に接触を保つ。
【０００８】
図外の携帯電話機の充電は上ケース５の凹部１６に挿入載置して行える。まず、上ケース５と下ケース１の境界付近に位置する窓部１７からコネクタ４に対して図示されない外部電源のコネクタを接続する。そして、携帯電話機の下部を凹部１６に挿入すると、携帯電話機の充電端子（図示せず）は凹部１６の底面開口１８から露出した充電接点２に接触状態になり、充電可能となる。
【０００９】
本実施形態によれば、従来用いられていたプリント基板が省けて低コスト化が達成でき、さらに、導電板３とコネクタ４とは半田付け接続なしで接続可能となるとともに、その接続状態も、コネクタ４の外方変位がないために安定化しているという利点がある。
【図面の簡単な説明】
【図１】本発明の実施形態を示す分解斜視図
【図２】同要部組立過程の斜視図
【図３】同中心を通る組立縦断面図
【図４】同導電板に沿った組立縦断面図
【図５】同鎖錠端子部の拡大断面図
【符号の説明】
１  下ケース
２  充電接点
３  導電板
４  コネクタ
５  上ケース
６  鎖錠端子部
７  押え部
８  接続端子
１３  押え部
【図１】
2004229375.tif 000003
【図２】
2004229375.tif 000004
【図３】
2004229375.tif 000005
【図４】
2004229375.tif 000006
【図５】
2004229375.tif 000007
(57)【要約】【課題】ペットの小便から柱や家具などを保護するため、出っ張った部分の形状に対し、容易に敷くことのできるトイレシートを提供する。【解決手段】ペットのトイレシートを蛇腹状に折り畳み、更に途中より山折り（１）を谷折り（２）に折り返し９０度の角度（４）を付けたことを特徴とする。【選択図】図１
2004229636.tif 000002
【特許請求の範囲】
【請求項１】
【発明の詳細な説明】
【０００１】
【発明の属する技術分野】
この発明は、ペットが出っ張った部分に小便をする習性から壁や柱及び家具を保護するための形態をしたトイレシートである。
【０００２】
【従来の技術】
従来のトイレシートは、トイレのしつけの出来たペット用に平坦な形態に作られており、柱などの出っ張った部分に敷くには不向きであった。
【０００３】
【発明が解決しようとする課題】
これはつぎのような欠点があった。
平坦な形態のトイレシートで床から柱などの立体部分に取り付けようとするとしわがはいりペットの小便をする場所に効率的に敷くことが困難であった。
本発明は、以上のような欠点を失くすためになされたものである。
【０００４】
【課題を解決するための手段】
トイレシートを蛇腹状に折り畳み（図１）、これを床から柱などの立体部分の形に合わせて広げることにより立体部分に効率的に取り付けることが出来る。（図２・図３）
本発明は、以上の形態をしたトイレシートである。
【０００５】
【発明の実施の形態】
以下、本発明の形態について説明する。
ペットのトイレシートを蛇腹状に折り畳み、更に途中より山折り（１）を谷折り（２）に折り返し９０度の角度（４）を付ける。
本発明は、以上のような形態でこれを使用するときは、床に接する部分は折り畳みを広く開き、壁・柱部分に接する部分には折り畳みをあまり開かないように（図２・図３）取り付け、床面と壁・柱部分に接する部分に両面テープ（３）で固定することにより、その部分の形状にあわせ柔軟に対応でき効率的にトイレシートを敷くことができる。
【０００６】
【発明の効果】
従来平坦であったトイレシートを蛇腹状に折り畳むことにより、床部分（５）には折り畳みを広く開き、柱部分にはあまり開かず折り畳んだままの状態で取り付けることが出来るため、家具などの９０度の２面の部分（図２）からテーブルや椅子の足などの柱部分（７）の３６０度に回り込む形状部分（図３）にまで効率的に敷くことが可能になった。
このトイレシートを使用することにより、大切な家や家具をペットの小便から守ることが容易になる。
【図面の簡単な説明】
【図１】本発明の斜視図である
【図２】本発明の取り付け姿図である
【図３】本発明の取り付け姿図である
【符号の説明】
１  山折り
２  谷折り
３  両面テープ
４  ９０度の角度をなす部分
５  床
６  ２面に出っ張りのある壁（または家具の角部）
７  柱（またはテーブルなどの足部分）
【図１】
2004229636.tif 000003
【図２】
2004229636.tif 000004
【図３】
2004229636.tif 000005
(57)【要約】【課題】組積式の構造用部材であるレンガやブロックは、従来同じ形状の直方体が主であり、それを積み重ねて出来上がった壁や塀や柱は平面的なものであるために、その壁や塀や柱を鉢植えや植物で飾ることができないが、これが可能となれば、少ない土地面積でも植栽を楽しむことができるようになる。【解決手段】器形状部分または凹型部分１と積載用平坦形状部分２とが、一体成型または成形されたレンガやブロック、または組積式の構造用部材をつくり、従来のものと併用して壁や塀や柱を構成すると、器形状部分または凹型部分に鉢植えを入れ、植物で飾ることが可能となる。そして前記、器形状部分または凹型部分１の底には穴３とそれを塞ぐためのふた４を設けて、このふたを取り除くことにより、水はけを可能とし、直接植物を植え込み楽しむこともできるようにした。【選択図】  図１
2004229635.tif 000002
【特許請求の範囲】
【請求項１】
器形状部分または凹型部分と、積載用平坦形状部分とからなり、前記二つの部分が一体成型、または成形されたレンガやブロック、または組積式の構造用部材。
【請求項２】
器形状部分または凹型部分の底には、穴を有することを特徴とした、請求項１のレンガやブロック、または組積式の構造用部材。
【請求項３】
穴には、これを塞ぐための開閉可能な、ふたを有することを特徴とした、請求項２のレンガやブロック、または組積式の構造用部材。
【発明の詳細な説明】
【０００１】
【発明の属する技術分野】
本発明は、レンガやブロックなど、組積式の構造用部材に器形状部分または凹型部分を併せ持たせることにより、植木鉢をその中に入れることができるため、組積式の構造用部材で作られた、建築物や工作物の壁や塀、柱、オブジェなどを鉢植えで飾ることができるようにしたものである。
【０００２】
また、底部分には穴があいている。
【０００３】
そしてその穴を塞ぐための開閉可能なふたがあり、そのふたを取り除くことにより、水はけが可能となるため、直接土や砂や石などを入れ、そのまま植物を植えることも可能となる。
【０００４】
【従来の技術】
組積式の構造用部材であるレンガやブロックは、従来同じ形状の直方体が主であり、それを積み重ねて出来上がった壁や塀や柱は平面的なものである。そのため壁や塀や柱を植物で飾りたいと考えても、せいぜい塀の上に植木鉢を並べて置くか、足元の土から伝い這わせて飾る、などの方法しか考えられなかった。
【０００５】
しかしこれでは、昨今のガーデニングブームで、壁や塀や柱を、植物で飾りたいと考える人達の要求を、充分に満たすものにはならない。
【０００６】
【発明が解決しようとする課題】
また、日本では地域により、植物を多く植えるための土地を確保することは、予算的に難しいという問題もある。
【０００７】
そこで横平面ではなく、縦平面、すなわち壁や塀や柱を利用して、その表面・裏面ともに植物を植えて飾ることができれば、わずかな土地面積を利用して、無機質的な空間を心安らぐ空間にすることが可能となる。
【０００８】
【課題を解決するための手段】
器形状部分または凹型部分と、積載用平坦形状部分とからなり、前記二つの部分が一体成型、または成形されたレンガやブロック、または組積式の構造用部材があれば、従来のものと併用して壁や塀や柱を構成し、鉢植えを入れ飾ることが可能となる。
【０００９】
またその器形状部分または凹型部分の底に、穴を設ければ、水はけが可能となるため、直接植物を植えることも可能となる。
【０００１０】
そしてその穴を塞ぐための開閉可能なふたも設けることによって、ふたをしたりはずしたりすることにより、器形状部分または凹型部分に、植木鉢を入れる、直接植物を植えることの両用に使うことができる。
【０００１１】
【発明の実施の形態】
本発明は、植物を植えることができる、レンガやブロック、または組積式の構造用部材であり、それを図面１で説明すれば、器形状部分または凹型部分１と積載用平坦形状部分２とからなる。そして前記二つの部分が一体成型、または成形されたレンガやブロック、または組積式の構造用部材なのである。
【０００１２】
上記器形状部分または凹型部分１の底には穴３がある。
【０００１３】
そしてその穴３を塞ぐための開閉可能なふた４を有し、この開閉可能なふた４を取り除くことにより、水はけが可能となるため、直接植物を植え込むことが可能となるのである。
【０００１４】
【実施例】
図４では使用の例を、住宅などの塀に利用しているところを示したが、本発明の利用は、一戸建て住宅用にとどまらず、マンションやオフィス、店舗、娯楽施設、ホテル、駅、公園、その他の公共施設などのあらゆる建築物や工作物の外壁や外廊下の壁、塀の裏・表、柱、その他オブジェなどにも利用することが可能である。
【０００１５】
さらに、外構用として利用するにとどまらず、一戸建て住宅やマンション、オフィス、店舗、娯楽施設、ホテル、駅、公園、その他の公共施設などのあらゆる建築物や工作物の居室や廊下、玄関、ベランダ、洗面室、ホール部分、半外廊下、浴室、トイレなど、あらゆる室内の壁や塀、柱、その他オブジェなどに利用することが可能である。
【０００１６】
そして本発明の、器形状部分または凹型部分の大きさ、形、などのデザインをいろいろに変化させ、多くのバリエーションを作ることにより、その場の雰囲気によりふさわしい、壁や塀、柱、その他オブジェなどを演出することが可能にできる。
【０００１７】
また、レンガのような土などの焼成品、ブロックなどのようなセメント加工品以外でも、金属素材や、樹脂、木材、ガラスなどの素材による、組積式の構造用部材である本発明を成形することも可能である。
【０００１８】
【発明の効果】
このように縦平面である壁や塀を構築する、従来のレンガやブロックと共に、本発明を併用して壁や塀、柱などを構築すれば、従来通りの堅固な壁や塀、柱などが出来上がるのはもちろんのこと、その中で本発明を利用した部分の器形状部分または凹型部分に、簡単に鉢植えを入れたり、また底の穴を塞ぐふたを取り除くことで、植物を直接植えることもできる。これなら季節や気分によって、好みの植物を植え替えることも容易にできるようになるのである。
【０００１９】
そしてこれなら広い土地がなくても、植物を植えて観賞し楽しむことが可能となるので、建築物、工作物の内壁、外壁、柱、オブジェなど幅広い空間で利用することができるのである。
【図面の簡単な説明】
【図１】本発明の斜視図である。
【図２】平面図である。
【図３】断面図である。
【図４】使用例を示した透視図である。
【符号の説明】
１    器形状部分または凹型部分
２    積載用平坦形状部分
３    穴
４    開閉可能なふた
【図１】
2004229635.tif 000003
【図２】
2004229635.tif 000004
【図３】
2004229635.tif 000005
【図４】
2004229635.tif 000006
(57)【要約】      （修正有）【課題】生梅の種を機械的に抜きとることができる装置の提供。【解決手段】半割にした一対の板に凹凸を設け、これに梅の実を把持させこのうちの一つを軸に滑り止めの加工をした軸棒及びスリーブと一体化し、この軸棒をねじりながら当該梅の実に圧力を加え、梅の実を二つに分離する。次に梅の実と種とが一体となっている半割れから適宜の手段で種を除く。【選択図】図７
2004229631.tif 000002
【特許請求の範囲】
【請求項１】
双方二つの板（１，２）に梅が半分入るようにくり抜き、そのくぼみにギザギザ凹凸または真空吸付等により梅が空回りしないように加工した板。
【請求項２】
スリーブ（３）（中空軸）にらせん状の切こみを入れる、またはネジ状に凹凸を付ける。
【請求項３】
軸棒（４）（中空軸）にらせん状の切りこみ、またはネジ状に凹凸、またはピン等を付けて、スリーブ（３）と軸棒（４）の組み合わせにより、回りながらスリーブ（３）が上下する装置（スリーブ（３）と軸棒（４）のあいだにスプリング・ペアリングを入れる）
【請求項４】
板（１，２）、スリーブ（３）、軸棒（４）を組み合わせてプレス機等にて圧力を加えて梅の種を取り除く装置。
【発明の詳細な説明】
【０００１】本発明は、双方二つの板の梅が半分入るように加工した部分に（梅が空回りしないように加工した）梅を入れて片方の板を台座に固定しても片方の板をかぶせて圧力を加えることによりネジリながら梅の種を片方ずつ取る機械・装置である。
【０００２】プレス機等にて軸棒（４）に圧力を加えることによりスリーブ（３）が回りながら上下するスリーブ（３）に板（１）を取り付けておく。プレス機の台座には板（２）を取り付けておくとこにより梅の種が片方取れる。半実になった梅の種の部分を金型等にて台座に固定して板（１）にて半実の種を取る方法で容易に梅の種を取り除くことができる。
【０００３】板（１、２）に梅を（刃物で切込みをいれておく）半分いれて回したとき梅が空回りしないようにギザギザ等のひっかかり付けておく、またはスリーブ（３）が回りながら上下するようにらせん状の加工をしておく。
【０００４】本発明の装置をプレス機等に多数取り付けることにより、青梅等の種を一度に素早く多くの種を取り除くことができる。
【図面の簡単な説明】
【図１】板（１）の正面図
【図２】板（２）の正面図
【図３】スリーブ（３）の正面図
【図４】軸棒（４）の正面図
【図５】スプリングとペアリングの正面図
【図６】種を固定する金型
【図７】組立図
【符号の説明】
１、  板（１）
２、  板（２）
３、  スリーブ（３）
４、  軸棒（４）
５、  スプリングとペアリング
６、  種を固定する金型
７、  組立図
【図１】
2004229631.tif 000003
【図２】
2004229631.tif 000004
【図３】
2004229631.tif 000005
【図４】
2004229631.tif 000006
【図５】
2004229631.tif 000007
【図６】
2004229631.tif 000008
【図７】
2004229631.tif 000009
(57)【要約】【課題】ペットの足に装着しやすい靴下によりペットによる床材への傷、床材質によるペット自身の滑り及びペットの爪による音の発生を低減することを課題とする。【解決手段】靴下の前面を開け、面ファスナーを設置することで装着しやすくなり、滑り止め材を靴下に施すことで床材への傷、ペットの爪の音の発生の低減を解決した。【選択図】      図１
2004229632.tif 000002
【特許請求の範囲】
【請求項１】
ペットの足の爪部分を除く靴下の前面から上部が開口となっている形で床に接地する部分に滑り止めを装着した室内ペット用靴下
【請求項２】
滑り止めを側面に装着した請求項１に記載の室内ペット用靴下
【発明の詳細な説明】
【０００１】
【発明の属する技術分野】
本発明は、室内ペット用の靴下に関するものである。
【０００２】
【従来の技術】
従来の室内ペット用の滑り止め付靴下では、文献はありません。
人間用の滑り止め付靴下に関しては、下記文献があります。
特許公開平０５−１１７９０２
実用新案公開平０６−０５１２２０
登録実用新案第３０７８６１４号
【０００３】
【発明が解決しようとする課題】
室内用ペットの飼主の不都合は、床に付くペットの爪あとの傷、爪による音の発生に悩まされている。
従来の人間用の滑り止め付靴下をペットに使用するとペットの爪が履く動作上邪魔になり簡単に装着出来ない、またペットの足に合わず脱げてしまい解決することが出来なかった。
そこで、本発明は室内ペットの足に靴下を装着しやすくすることと、ペットの爪による傷、音を低減することを課題とする。
【０００４】
【課題を解決するための手段】
上記課題を解決するために、請求項１記載の室内ペット用滑り止め付き靴下は、靴下の前面から上部に開口部を設け、靴下の着脱をしやすくする。また、靴下の床に接地する靴下床接地部分に滑り止めを取り付ける。
本願において「靴下の前面」とは、人間が用いる靴下の甲を覆う部分をいう。
請求項２記載の側面の滑り止めは、ペットの運動により靴下が回転しても床接地部分に滑り止め材がある様にした。
【０００５】
【発明の実施の形態】
靴下の甲を覆う部分（爪部分は除く）から上部を開けておく。（【図１】、【図２】符号６）
ペットの足への締め付け方法は、靴下前面にある開口部に面ファスナーを取り付
ける。（【図１】符号３と４）面ファスナー取り付け位置は、靴下を足に合わせるために足の甲に１箇所、締め付け用として靴下甲の上部に１箇所、両面共が面ファスナーを最上部に取り付ける。（【図２】符号３と４）
滑り止め用ゴムは、靴下の側面にも取り付ける。（【図１】、【図２】符号１と２）
滑り止め用ゴムの密度は、靴下底面の前部分２０ｍｍまでは、１平方ｃｍ当たり直径２ｍｍのゴムが８個とし、それ以外の部分の密度は、同径のゴムが５個とする。
靴下の素材は、通気性と伸縮性のあるものを使用する。
靴下のサイズは、人間でいう足の大きさに当たるところは、２〜５ｃｍ、靴下の長さは、６〜８ｃｍとする。
滑り止め材は、ゴム以外でもよいとする。
【０００６】
【発明の効果】
本発明は、靴下の前面に開口を設けたことでペットの足に装着しやすくなり滑り止め材を付けることで飼主の不都合を解決できる。
また、ペット側から見ると、床が滑ることでヘルニアの悪化につながるが、本発明によりこれも低減させることが出来る。
【図面の簡単な説明】
【図１】室内ペット用滑り止めつき靴下の正面図です。
【図２】室内ペット用滑り止めつき靴下の側面図です。
【符号の説明】
１    滑り止め用ゴムが１平方ｃｍ当り直径２ｍｍのゴムが８個配置
２    滑り止め用ゴムが１平方ｃｍ当り直径２ｍｍのゴムが５個配置
３    締め付け用面ファスナー
４    締め付け用面ファスナー（両面が面ファスナー）
５    靴下
６    靴下前面の開口部分
【図１】
2004229632.tif 000003
【図２】
2004229632.tif 000004
(57)【要約】【課題】取り替えたりクリーニングしたりする手間を必要とせず、使用後の廃棄も容易な紙製のシーツを提供すること。【解決手段】紙基材（１１）の少なくとも片面に熱可塑性樹脂層（１２）を形成させた紙積層シート（１０）にエンボス模様（１３）を施した。紙基材（１１）はクラフト紙又は中芯原紙が好まし使用でき、熱可塑性樹脂層（１２）は低密度ポリエチレン、直鎖状低密度ポリエチレン、中密度ポリエチレン、高密度ポリエチレン、ポリプロピレン等のポリオレフィン系の熱可塑性樹脂から構成される。【選択図】図１
2004229691.tif 000002
【特許請求の範囲】
【請求項１】
紙基材の少なくとも片面に熱可塑性樹脂層を形成させた紙積層シートにエンボス模様を施してなることを特徴とする、シーツ。
【請求項２】
前記紙基材がクラフト紙又は中芯原紙からなることを特徴とする、請求項１記載のシーツ。
【発明の詳細な説明】
【０００１】
【発明の属する技術分野】
本発明は、敷布団の上に敷いたり、敷布団を包んだりする交換用のシーツに関する。
【０００２】
【従来の技術】
従来、敷布団の上に敷いたり、あるいは、敷布団を包んだりするシーツは、木綿製が主流で、汚れたらクリーニングして繰り返し使用している。
【０００３】
従って、旅館やホテルで使用する際には、取替えたりクリーニングに出したりする人手や手間や費用がかかっていた。
【０００４】
【発明が解決しようとする課題】
本発明は、特に交換用のシーツに関する以上のような問題を解決するためになされたもので、取り替えたりクリーニングしたりする手間を必要とせず、使用後は容易に廃棄が可能なシーツを提供することを課題とする。
【０００５】
【課題を解決するための手段】
本発明の請求項１の発明は、紙基材の少なくとも片面に熱可塑性樹脂層を形成させた紙積層シートにエンボス模様を施してなることを特徴とする、シーツである。
【０００６】
このように請求項１記載の発明によれば、紙基材の少なくとも片面に熱可塑性樹脂層を形成させた紙積層シートにエンボス模様を施してなるシーツであるから、安価で、一度使用したら廃棄処分が可能で、常に新しい衛生的なシーツを使用することができる。
また、紙基材と熱可塑性樹脂層とから構成されているので、容易に焼却処分ができる。
【０００７】
また、請求項２の発明は、請求項１の発明において、前記紙基材がクラフト紙又は中芯原紙からなることを特徴とする、シーツである。
【０００８】
このように請求項２記載の発明によれば、紙基材はクラフト紙又は中芯原紙からなるので、風合いがあり、肌触りが良く比較的安価に作製できる。
【０００９】
【発明の実施の形態】
本発明のシーツを一実施形態に基づいて以下に詳細に説明する。
本発明のシーツは、例えば図１に示すように、紙基材（１１）の少なくとも片面に熱可塑性樹脂層（１２）を形成させた紙積層シート（１０）にエンボス模様（１３）を施した構成からなる。
【００１０】
紙基材（１１）としては、風合い、肌触り等の点からクラフト紙又は中芯原紙が好ましく使用できる。クラフト紙は未晒クラフト紙でも晒クラフト紙でも構わないが、晒クラフト紙を使用すると、白く仕上がりより衛生的な印象を与え好ましい。
また、１１０〜２１０ｇ／ｍ２  程度の坪量の紙基材が好適に使用できる。
【００１１】
紙基材（１１）の少なくとも片面には、低密度ポリエチレン、直鎖状低密度ポリエチレン、中密度ポリエチレン、高密度ポリエチレン、ポリプロピレン等のポリオレフィン系の熱可塑性樹脂から構成される熱可塑性樹脂層（１２）が１０〜２０μｍ程度の厚さで積層されている。
【００１２】
熱可塑性樹脂層（１２）が形成されていることにより、引っ張り強度、折り曲げ強度、耐汚染性等が付加される。
また、紙基材と熱融着性があるので、袋状に加工することもできる。ポリオレフィン系の熱可塑性樹脂を使用しているので焼却時に有害ガスが発生することもなく、容易に廃棄処分ができる。
【００１３】
熱可塑性樹脂層（１２）は紙基材（１１）の両面に積層しても構わない。
また、必要に応じて、紙積層シート（１０）には印刷層（図示せず）を設けても良い。
【００１４】
紙基材（１１）への熱可塑性樹脂層（１２）の積層方法は、各種の積層方法が可能であるが、紙基材への接着性や生産性を考慮して溶融押し出しラミネート法が好適に使用できる。
【００１５】
このようにして作製した紙積層シート（１０）にエンボス模様（１３）を施す方法は、雌雄の金型によって常温でエンボス加工を施すこともできるが、熱可塑性樹脂層に使用する熱可塑性樹脂の軟化温度よりもやや低い温度まで加温してエンボス加工を施すことにより凸部と凹部の深い、かつ、安定した品質のエンボス模様（１３）を施すことができる。
【００１６】
エンボス模様（１３）の一実施例を図２（ａ、ｂ）に基づいて簡単に説明する。
すなわち、図２（ａ）、（ｂ）に示すように紙積層シート（１０）の表面全体に形成されている凸部（４）は千鳥状に配置され、かつ、半球形状になっている。
また、表面全体に形成された凸部（４）と凹部（５）の、凸部（４）は水平方向のピッチ（Ｐ）が略５〜８ｍｍ程度で千鳥状に形成されている。
さらに、凸部（４）は直径が略４〜６ｍｍ程度の半球形状にエンボスが施され、その深さは略０．６〜３．５ｍｍ程度に形成されている。
【００１７】
凹部（５）は凸部（４）と凸部の略中央に形成され、水平方向のピッチ（Ｐ）が凸部（４）と同様に略５〜８ｍｍ程度で千鳥状に半球形状にエンボスが施されている。
【００１８】
【発明の効果】
上記のように、本発明のシーツは使い捨てで使用後は焼却処分できるので、クリーニングに出すといった手間が省け、例えば、ビジネスホテル等で使用すれば作業効率のアップが見込める。
また、クリーニング代と比較して使い捨てで低コストで運用できる。
さらに紙基材に故紙を使用することにより環境負荷を低減できるし、今までにない手触りのシーツで目新しさをアピールできる。
【図面の簡単な説明】
【図１】本発明のシーツの一実施例を示す、断面説明図である。
【図２】本発明のシーツに形成されるエンボス模様の一実施例を示す、（ａ）は平面説明図であり、（ｂ）は（ａ）の部分拡大説明図である。
【符号の説明】
４‥‥凸部
５‥‥凹部
１０‥‥紙積層シート
１１‥‥紙基材
１２‥‥熱可塑性樹脂層
１３‥‥エンボス模様
Ｐ‥‥ピッチ
【図１】
2004229691.tif 000003
【図２】
2004229691.tif 000004
(57)【要約】【課題】従来の松葉杖はスムーズな歩行が困難であり、従来の車椅子は狭い場所や入り組んだ場所を歩行するには機敏性に欠けていた。【解決手段】負傷した足の脛骨部分をのせる台１と、脛骨部分をのせる台に対して支柱が回転自在を可能にする７と、高さを調整するための昇降調節レバー３と、台を支える支柱４と、支柱を支えるための脚５と、車輪又はキャスター６を設けることを特徴とする。【選択図】  図３
2004229677.tif 000002
【特許請求の範囲】
【請求項１】
負傷した足の脛骨部分をのせる台と、台に脛骨部分を固定するための固定手段と、車輪が取り付けられた台を支えるための支柱とからなる自立式可動用歩行器。
【請求項２】
前記の負傷した足の脛骨部分をのせる台に対して支柱が回転自在に取り付けられていることを特徴とする請求項１記載の自立式可動用歩行器。
【請求項３】
前記の台は脛骨部分に対応して伸縮自在であることを特徴とする請求項１又は２に記載の自立式可動用歩行器。
【請求項４】
前記の台は昇降調節手段を備えていることを特徴とする請求項１から３までのいずれかの自立式可動用歩行器。
【発明の詳細な説明】
【０００１】
【発明の属する技術分野】
この発明は脛骨や足首の骨折、またはねんざなどにおいて負傷した箇所を動かないように固定及び保護すると同時に、歩行する際の機敏性を追求した歩行器に関する。
【０００２】
【従来の技術】
従来、脛骨の骨折やねんざ等における歩行器としては図８に示すように松葉杖や、図９に示すように車椅子などがある。
【０００３】
【発明が解決しようとする課題】
従来の松葉杖や車椅子には次のような欠点があった。
（イ）従来の松葉杖は、負傷した脛骨部分を固定することができないため不安定であった。
（ロ）松葉杖は、長時間使用すると脇を傷めるなど使用者の負担が極めて大きかった。
（ハ）従来の松葉杖は、スムーズな歩行や移動が困難であった。
（ニ）従来の車椅子は、時には介護人を必要とし、かつ職場や学校等の公の場所においては小回りが利かず機敏性に欠けていたためスムーズな歩行及び移動が困難であった。
（ホ）従来の車椅子は、歩行時にはある一定の幅をとるため狭い場所や入り組んだ場所を歩行するには困難であった。
（ヘ）従来の車椅子は、負傷していない足の運動までも制限するため筋力低下の恐れがあった。
【０００４】
【課題を解決するための手段】
以上の課題を解決するために、負傷した足の脛骨部分をのせる台と、台に脛骨部分を固定するための固定手段と、車輪が取り付けられた台を支える支柱とから構成される。
【０００５】
前記の負傷した足の脛骨部分をのせる台に対して支柱が回転自在に取り付けられていることを特徴とする。
【０００６】
前記の台が脛骨部分に対応して伸縮自在であることを特徴とする。
【０００７】
前記の台が昇降調節手段を備えていることを特徴とする。
【０００８】
【発明の実施の形態】
以下、実施の形態により、さらに詳細に説明する。図において１は負傷した足の脛骨部分をのせる台である。なお、脛骨部分をのせる台はオス資材１ａと１ｂから構成され、１ｂをスライドさせ脛骨部分の長さに対応して長さの調節を可能にし（請求項３）、２は負傷した足の膝を保護するためのパットである。また、９のように脛骨部分の太さに応じてクッション資材を用いて歩行時の衝撃緩和材として、さらに脛骨部分の固定資材として設けるのもよい。３は高さを調節するため昇降調節レバーである（請求項４）。４は台を支える支柱で、支柱内部にはガススプリングなどにより、高さを調整するための機能が備えられている。５は支柱を支えるための脚である。６は車輪又はキャスターである。７は脛骨部分をのせる台に対して支柱が回転自在を可能にするベアリングなどが取り付けられている（請求項２）。８は負傷した足の脛骨部分を固定するためのマジックバンドである。
【０００９】
【発明の効果】
本発明には次のような効果がある。
（イ）小回りが利き、幅をとらないため狭い場所や入り組んだ場所でもスムーズに歩行することができる。
（ロ）介護人を必要としない。
（ハ）負傷していない足については日常的な運動を可能にし、筋力低下を防ぐことが可能となる。
（ニ）小用等の場合でも松葉杖を必要としない。
（ホ）松葉杖使用時のように脇を痛めることがない。
（ヘ）負傷した足を固定するため治療期間の短縮化が見込める。
（ト）職場や学校等の公的な場所での日常生活及び業務をより可能にする。
以上のように、本発明は負傷した足の脛骨部分を固定できるとともに、歩行に際しては機敏性を兼ね備えた歩行器を実現することができる。
【００１０】
【図面の簡単な説明】
【図１】本発明の一実施形態を示す正面図である。
【図２】本発明の一実施形態を示す側面図である。
【図３】本発明の一実施形態を示す使用例の全体図である。
【図４】負傷した足の脛骨部分を台にのせた使用例の拡大側面の断面図である。
【図５】負傷した足の脛骨部分を台にのせた使用例の拡大正面の断面図である。
【図６】本発明の一実施形態を示す正面図である。
【図７】本発明の一実施形態を示す側面図である。
【図８】松葉杖の正面図である。
【図９】車椅子の傾視図である。
【符号の説明】
１  負傷した足の脛骨部分をのせる台
２  膝あてパット
３  昇降調節レバー
４  支柱
５  脚
６  キャスター
７  ベアリング
８  マジックバンド
９  クッション資材
１０  負傷した足
【図１】
2004229677.tif 000003
【図２】
2004229677.tif 000004
【図３】
2004229677.tif 000005
【図４】
2004229677.tif 000006
【図５】
2004229677.tif 000007
【図６】
2004229677.tif 000008
【図７】
2004229677.tif 000009
【図８】
2004229677.tif 000010
【図９】
2004229677.tif 000011
(57)【要約】      （修正有）【課題】断熱材を高圧噴射塗装する事で容器（バッグ類）等の保冷保温効果を高める。【解決手段】薄い布製１に断熱材を高圧塗装し、外側全体に貼り付ける。容器５の外側にエアレスガン６で断熱材を吹きつけ乾燥する。薄い布製１に断熱材を高圧塗装し貼り付け縫製する。【選択図】    図１
2004229630.tif 000002
【特許請求の範囲】
【請求項１】
断熱塗料をバッグ、中ケース外側にエアレスガンで高圧噴射塗装することで、保冷、保温維持時間を長く保つ事が可能な塗装技術である。
【請求項２】
断熱塗装を一旦、薄い布類に高圧噴射する事で他の物体に保護材として使用した場合、作業上効率が良く、多目的に保冷保温効果を維持できる塗装応用開発である。
【発明の詳細な説明】
【０００１】
【発明の属する技術分野】
本発明は、断熱塗料を容器、バッグ類当に塗装する事による保冷、保温効果を高める製造法に関して。
【０００２】
【従来の技術】
従来の保冷保温材質としては、発泡ウレタン、アルミ樹脂材が主として使用されている材料である。
【０００３】
【発明が解決しようとする課題】
従来の保冷保温容器、バッグ類は保冷保温効果を高める為に断熱材の巾、厚みが大きく商品の小型化が出来ない問題があった。
【０００４】
従来の保冷保温容器、バッグ類等は保冷保温効果と保冷保温時間を延長する為に材質の幅は基より材質構造を高密度に使用する事から重量的に重くなる問題点があった。
【０００５】
従来の材質等については、熱に弱く高温度の保温効果等において変質、変形しやすい問題がある。
【０００６】
【課題を解決するための手段】
上記の問題を解決する方法として、従来の断熱材と違う塗料皮膜の使用により断熱効果を高める方法をとった。
【０００７】
塗料断熱材使用効果として、高圧噴射塗装により一定皮膜が断熱効果につながる事を考え、テストを繰り返した結果、安定した断熱効果を確認できた。尚、製造工程の段階で、一旦薄い布製のものに吹きつけ含浸させ、容器、バッグ類に貼り付け、縫製すると作業効率が上がり、又断熱効果は同じである。
【０００８】
【発明の実施の形態】
発明の実施の形態を実施例にもとづき図面を参照して説明する。
図１において、２の中容器（バッグ等）に１の１ｍｍ程度の薄い布に６のエアレスガンで高圧塗装を１ｍｍ程、均一圧、均一塗装を全面に噴射、乾燥した素材を外側全体に（４）貼り付け、３の外側容器（バッグ等）に組み入れます。
【０００９】
図２は５の容器（バッグ等）にじかに６のエアレスガンで高圧塗装を１ｍｍ程、均一圧、均一塗装を全面に噴射、乾燥する方式です。
【００１０】
図３は、５の容器（バッグ等）に１の１ｍｍ程度の薄い布に６のエアレスガンで高圧塗装を１ｍｍ程、均一圧、均一塗装を全面に噴射、乾燥した素材を外側全体に（７）貼り付け縫製する。
【００１１】
【発明の効果】
本発明は、以上説明したように構成されているので、以下に記載されるような効果を奏する
【００１２】
断熱材自体の容積、巾等が少なく小型化になり保冷保温効果を生み出す。
【００１３】
従来品より軽量で耐久性が強く、保冷、保温時間が長い。
【００１４】
薄い布に一旦、高圧塗装をする事により多目的な保冷保温を目的とする一切の使用容器に対し有効に活用できる。
【図面の簡単な説明】
【図１】中容器の外側全体に塗装した素材を貼り付け、外側容器に組入れる図である。
【図２】容器に直接吹き付け塗装した図である。
【図３】外側全体に塗装した素材を貼り付け縫製する図である。
【符号の説明】
１          １ｍｍ程度の薄い布
２          中容器
３          外容器
４          貼り付け
５          容器（バッグ類）
６          エアレスガン
７          貼り付けて縫製
【図１】
2004229630.tif 000003
【図２】
2004229630.tif 000004
【図３】
2004229630.tif 000005
(57)【要約】      （修正有）【課題】水中で貝草等の付着物を積極的に付着させる物体を発明し、魚礁、のり網、コンブ石等に使用し、魚貝草等の増養殖をする。又反対に付着しない物体を発明し、貝、草等の付着防止をして省エネルギーを図る物体を提供する。【解決手段】魚礁及び石、ロープ等は、多くの産廃品のあらゆる前記品で造り、網、紐、ロープ等には、表面処理及びその材料の中に埋め込み、物体を造る。一方、付着させない船底、ロープ、網、ブイ及び取り付け具は、シート貼付、表面処理及び材料の埋め込み方で造る。【選択図】図２
2004229628.tif 000002
【特許請求の範囲】
【請求項１】
魚礁、石、ロープ及び骨材等の表面及びその内部に、植物ホルモンその他、遠赤外線材を約１０％混入し、セメント以外の固化剤で、紙、砂、セラミック、プラスチック、植物の骨及び食料の残、カーボン、貝殻、米糠カス、大豆カス等の乾燥品、木、竹、コンクリート、ガラス、陶器等の産廃品を母材として混合し、５角形状に固めたもの。
魚礁は水底を水が流れるよう空間を設け、魚、貝、草の集合住居の方式とする。特に動物の骨、貝殻等は、無光触媒、光触媒酸化チタン技術により水道水を改質した腐りにくい水として造水装置を使用して得た水を使ったスープとして煮出し汁を取った後のものとする。
又、養殖のり網、コンブロープ、貝篭等は海草を積極的に付着させたい場合に限る。
【請求項２】
船底、網、ロープ及びブイ等で水中の魚、貝、草等の付着物を着けない物体として発明したもの。強力な接着力を持つプラスチックの表面を持つ接着剤の反対側にイオン鉱石粉５〜１５％、雲母、テフロン、グワーガム１〜５％の粉末を更に接着剤とともに混練した層を持つ薄シートを造り、船底、ブイ等に接合したもの。シートの代りに塗料としたもの。更に物体の中に混入成型した付着防止物体。特に船底シートは水接面に上記のテフロン、グワーガム等の多結合体になるようにし、表面はピカピカ鏡面とした。
【発明の詳細な説明】
【０００１】
【産業上の利用分野】
本発明は、船舶、海洋、漁業及び廃棄物再利用産業に関する。
【０００２】
【従来の技術】
従来  １）船底が有毒性塗装のため、海中の貝、魚の稚魚が死亡した。また船除も楽ではなかった。
２、魚礁にはカーボン等の高価なものが多く、又セメントコンクリート製のものは魚、貝の家にはならなかった。
３、魚礁の下を水が流れない形にしたため、防波堤のようになり魚、貝の家にはならなかった。
４、定置網には貝、草が多く着き、目詰まりにより魚の生育ができなくなった。
５、のり、ロープ、ブイ等に多くの海草がつき、のり採取作業が困難であった。
６、貝篭にふじ壺、草が多く着き、洗浄が必要であった。
【０００３】
【発明が解決しようとする課題】
１、付着させる物体には魚、貝、草の好む材料を多く配合し、プラスイオン材を産業廃棄物の中から選び、固化剤もセメント以外の材料にする。
２、付着させない物体には、上記の通り、マイナスイオン化の可能な材料を選択し、表面も魚、コンブの表面に近つける。
【０００４】
【課題を解決するための手段】
１、魚礁には、動物の骨のだしガラ、貝殻、陶器、再生発泡ガラス、木紙屑粉粒、コンクリートの破材、金属、セラミック、鉱石、砂、土、食物残さいの乾燥物、ゴム屑及び魚貝が好む産廃物を入れ、アークで固め、５角形にし、水中の魚貝住居にする。
２、のり網、コンブロープ及びかじめ等海草を好む篭網には、胞子の種付け網糸に植物ホルモン材を表面処理し、積極的に近ずける。
３、船舶の底部には、付着防止のためイオンその他を入れたシートを付けるか、塗装をする。
４、定置網には、網糸をイオン化するか、液による表面浸透処理をする。
５、のり網吊りロープは、ブイとめロープを含め、プラスチックの紐内に、イオンその他材料を混練した材料で成型する。
６、のり網他、のり養殖道具の洗浄及び表面処理の方法が次年の収穫に相関があるため、光触媒酸化チタンくぐりぬけ水でスプレイ洗浄をし、網等の腐敗防止をしておく。又、網質を軟質にし、胞子種付けを易くする。
【０００５】
【作用】
上記の構成により、マイナスイオンが約８００ヶ／ｃｃでプラスイオンとのバランス作用により、付着物を多くする物と、その反対のものの使い分けによる作用により、水中資源の拡大そして船舶の燃費低減、産廃物のリサイクルに作用する。
【０００６】
【実施例】
図１は魚礁の形状を示すもの。現有防波堤等の３角形（テトラポット）とは異なり、中心に孔をあけ５角形とした。水底から約５ｍ上に５角形の魚礁を埋設していき、魚貝草の住居とする。水底は水流があるゆえ魚貝草の往来を可能にし、魚礁の段数を約５〜１０段が望ましい。５本脚のからみと多くの隙間に貝、草等が強固に着く。固化材にはアークを使用する。そして魚礁以外の網等には表面から植物ホルモンを浸透、又は網糸の中に浸透させた糸でロープを造る。
図２は船底シートを示す。断面の右側に船底が接合され、左側が水に接触する。上記のグワーガム、テフロン等の粉末配合剤はシートの中心から左に位置するよう造り、母体材にプラスチック、エポキシ等の強力高硬度剤で加圧成型する。水側の表面はピカピカ、ツルツルな鏡面のものと、ウナギ表面に近似、ヌルヌルの２種があり、水の抵抗を小さくし、停止中に貝草等が付着しない。又、修理用途料として上記成型前の高粘度の物で補修する。そして網、ロープ、ブイ及び取り付け具プラスチック等の表面処理をし、シートと同様成型する。
【０００７】
【発明の効果】
１、魚礁には多くの魚貝草が集まり、河口から流れてくる植物プランクトンも付着し、住居とするため、遠洋漁業とは別の資源となる。又、造形材に廃棄物の利用により高品質に魚礁となる。
２、魚礁の単体形状の効果は前述のとうりであるが水中での形は、単に直線よりも、軍港のような袋型にすると魚、貝の集合が良く収穫のロスも省くことが可能となり、それぞれ現地の水の流れを考慮し設け、効果を得ることができる。
３、船底、網などマイナスイオン効果により、魚貝草が付着しなくなると、著しく作業の効率をあげ、省エネとなる。船速８％向上。
４、岸辺の匂い、虫、そして海の汚れ防止となるので環境に良い。
【図面の簡単な説明】
【図１】本発明のひとで型魚礁の平面図である。
【図２】本発明の船底薄シートの斜視図である。
【図１】
2004229628.tif 000003
【図２】
2004229628.tif 000004